(57)【要約】【課題】電子機器において、電子機器およびこれに挿入される記録機器に塵埃が付着することによる悪影響を防止するとともに、簡単に記録機器を取り出せるようにする。【解決手段】取出部材３２は、絶縁性の硬質材料から構成される細長い台座４２と、後壁４４とを有する。台座４２には、電子機器１０の多数のコンタクトを挿通する貫通孔が、マトリックス状に穿設されている。後壁４４は、スロット１６の凹所４６内を台座４２とともに上下方向に摺動するように構成されている。この台座４２に回動可能に取り付けられたレバー２８は、通常、開口３０に折り畳まれて収納されている。ＰＣカード２００をスロット１６から取り出すときは、レバー２８を引き出して取出部材３２を上方に持ち上げる。これにより、ＰＣカード２００をスロット１６の開口部から突出させ、突出したＰＣカード２００の部分（後端部）を摘んで簡単に取り出すことができる。【選択図】　　　　　図４
2004145978.tif 000002
【特許請求の範囲】
【請求項１】
記録機器挿入用のスロットを有する本体を備え、前記スロットに記録機器を挿入することにより前記本体と前記記録機器とが電気的に接続されるよう構成された電子機器において、
前記スロット内に、前記記録機器の挿入によって該記録機器に押された状態で配置される取出部材を有し、該取出部材が、前記本体の外部からアクセスすることが可能な露出部を有し、該露出部の操作によって、前記取出部材が前記記録機器を前記本体の外部に押し出すよう構成されていることを特徴とする電子機器。
【請求項２】
前記取付部材が、前記スロット内で前記記録機器に押される台座と、該台座に設けられたレバーとを有し、前記本体が、前記レバーを露出させるとともに該レバーを前記記録機器の排出方向に移動させることが可能な開口を有することを特徴とする請求項１記載の電子機器。
【発明の詳細な説明】
【０００１】
【発明の属する技術分野】
本発明は、電子機器に関し、特に、電子機器本体のスロットに挿入された平板状の記録機器を取り出すための記録機器取出構造を有する電子機器に関するものである。
【０００２】
【従来の技術】
従来より、デジタルカメラ等のモバイル機器においては、記録媒体として例えば、図１１に概略的に示すような「ｃｌｉｋ！（登録商標）」と呼ばれる超小型の磁気ディスクカートリッジが使用されている。（例えば、非特許文献１参照。
）このディスクカートリッジ１は、ノート型パーソナルコンピュータに使用されるタイプＩＩＰＣカード型のｃｌｉｋ！（登録商標）ドライブ２００（図１２）に装填することもできる。このｃｌｉｋ！（登録商標）ドライブ２００は、幅５３ｍｍ、奥行き８５ｍｍ、厚さ５ｍｍの寸法を有しており、ｃｌｉｋ！（登録商標）ディスクを装填した状態で、ノート型パーソナルコンピュータのＰＣカードスロットに装着して、ｃｌｉｋ！（登録商標）ディスクの記録および再生を行なうことが可能となっている。
【０００３】
図１１は、従来の磁気ディスクカートリッジ１の斜視図を示し、図１２は、図１１の磁気ディスクカートリッジ１が挿入されるｃｌｉｋ！（登録商標）ドライブ２００の斜視図である。最初に図１１を参照して磁気ディスクカートリッジ１について説明する。この磁気ディスクカートリッジ１は、幅５０ｍｍ、奥行き５５ｍｍ、厚さ１．９５ｍｍの寸法を有している。この磁気ディスクカートリッジ１は、樹脂製のフレーム２と、金属素材（厚さ０．２ｍｍのステンレス鋼板）からなる上シェル（シェル半体）３、下シェル（シェル半体）４とによって構成されたハウジング５と、このハウジング５内に回転自在に収容された４０ＭＢの記憶容量を有する直径４５．７ｍｍ（１．８インチ）の磁気ディスク（ディスク型磁気記録媒体）（図示せず）とを有する。
【０００４】
上記ハウジング５は、このカートリッジ１が装填されるｃｌｉｋ！（登録商標）ドライブ２００内に配置されているディスクドライブ（図示せず）が備えている磁気ヘッドを磁気ディスクの表面にアクセスさせるための開口６と、この開口６を開閉するロータリーシャッタ７とを備えている。上下シェル３、４は、それらの外周の一部に夫々側壁３ｋ、４ｋを有し、それらの側壁３ｋ、４ｋの縁部をつき合わせて、１０箇所以上の部位Ｐでレーザー溶接されて組み立てられている。
【０００５】
次に、図１２を参照して、ｃｌｉｋ！（登録商標）ドライブ２００について説明する。ｃｌｉｋ！（登録商標）ドライブ２００は、扁平な矩形形状を呈しており、ディスクカートリッジ１が挿入される細長い開口２０２が形成された本体２０４を有する。この本体２０４内には、ディスクカートリッジ１を駆動するモータ（図示せず）およびディスクカートリッジ１の記録再生を行なう前述の磁気ヘッドが配置されている。前述の開口２０２は、本体２０２の後端に形成されており、通常は、ばね付勢されたシャッタ２０６で閉じられている。
【０００６】
ディスクカートリッジ１の挿入時には、ディスクカートリッジ１の先端でシャッタ２０６を押し開いてディスクカートリッジ１を挿入する。ディスクカートリッジ１を収容した本体２０４は、パーソナルコンピュータ（図示せず）のスロットにｃｌｉｋ！（登録商標）ドライブ２００の先端から挿入される。ｃｌｉｋ！（登録商標）ドライブ２００の先端部には、パーソナルコンピュータと電気的に接続するための電気コネクタ２０８が配置されている。
【０００７】
パーソナルコンピュータに使用した場合、このカートリッジ１がｃｌｉｋ！（登録商標）ドライブ２００に装填されると、ロータリーシャッタ７がディスクドライブ中で自動的に拡開され、ディスクドライブの読み出しヘッド（図示せず）が磁気ディスク上に移動してきてデータの記録再生がなされるが、ここでは、その態様の詳細な説明は省略する。
【０００８】
上記のｃｌｉｋ！（登録商標）ドライブ２００用のディスクカートリッジ１の他にも、例えば、タイプＩＩのＰＣカード等に使用される矩形の扁平な形状をしたタイプの磁気ディスクカートリッジがある（例えば、特許文献１参照）。このタイプのディスクカートリッジは、磁気ディスクメディア（ディスク型磁気記録媒体）を収容した長方形の扁平な樹脂製ベースプレートの両側に１組の金属製のカバープレートが配置されて組み立てられている。この他にも、スマートメディア（登録商標）等のカード型記録媒体が知られている。
【０００９】
上記ディスクカートリッジ１等が挿入される電子機器のスロット、或いはＰＣカードが挿入される電子機器のスロットには、ディスクカートリッジ１、或いはＰＣカードの取出を容易にするための、スロットに臨む凹部が形成されていることが一般的である（例えば特許文献２参照）。
【００１０】
【非特許文献１】
大島篤著「パソコン解体新書」、ソフトバンクパブリッシング株式会社、２０００年４月１０日発行（Ｐ５２−５３）
【００１１】
【特許文献１】
特開２００１−２４３７３６号公報（第４−５頁、図３）
【００１２】
【特許文献２】
米国特許第５，６４４，４４４号明細書（第１図）
【００１３】
【発明が解決しようとする課題】
しかしながら、上述のような従来のディスクカートリッジを装填する電子機器における記録媒体の取出構造では、この凹部に塵埃が溜まりやすく、これらの塵埃が、記録媒体内に進入し、或いはｃｌｉｋ！（登録商標）ドライブ２００に付着するとデータの記録再生にエラーを発生したり、作動不良を生じたりするという問題があった。スマートメディア（登録商標）等の半導体メディアの場合は、接続端子に塵埃が付着すると接触不良が発生し、データの記録再生に悪影響を及ぼすことがある。また、電子機器の外部に凹部が形成されていることにより、デザイン上の制約即ち見た目がよくないという美感上の問題があった。
【００１４】
また、取出用の凹部を設けずに、排出用のイジェクトボタンを備えた電子機器もあるが、この場合には取出のための機構が複雑になり、また電子機器が高価になるという問題がある。また、必ず押ボタンが必要になるので、デザイン上の制約即ち設計上の自由度が制約されるという問題もある。
【００１５】
防塵目的のために、スロットに隣接して防塵部材を設けたメモリーカード挿入用の電子機器が知られている。この防塵部材は、フェルト、不織布などで形成されたもので、電子機器の前面パネルの裏面に配置されており、メモリーカード挿入用のスリットを有している。しかし、この例では、材料自体の繊維が脱落してメモリーカードの電気的接続に悪影響を及ぼす虞がある。また、スロットが電子機器の表面にあるので、このスロットに塵埃が溜まりやすいという問題がある。
【００１６】
本発明は、以上の点に鑑みてなされたものであり、電子機器および記録機器に塵埃が付着することによる悪影響を防止するとともに、簡単に記録機器を取り出せるようにした電子機器を提供することを目的とするものである。
【００１７】
【課題を解決するための手段】
本発明の電子機器は、記録機器挿入用のスロットを有する本体を備え、このスロットに記録機器を挿入することにより本体と記録機器とが電気的に接続されるよう構成された電子機器において、スロット内に、記録機器の挿入によって記録機器に押された状態で配置される取出部材を有し、取出部材が、本体の外部からアクセスすることが可能な露出部を有し、露出部の操作によって、取出部材が記録機器を本体の外部に押し出すよう構成されていることを特徴とするものである。
【００１８】
また、取付部材は、スロット内で記録機器に押される台座と、台座に設けられたレバーとを有し、本体がレバーを露出させるとともに、レバーを記録機器の排出方向に移動させることが可能な開口を有するよう構成することができる。
【００１９】
台座には、後壁とこの後壁に対向する前壁を設けるとともに、この前壁の上端部にレバーを設けてもよい。台座には、電子機器本体のピンコンタクトを挿通するための貫通孔、或いは矩形の開口を形成してもよい。
【００２０】
本発明の１つの態様において、この取出部材を、一端がスロット内に固定され、他端にレバーが設けられたＦＰＣで構成してもよい。このＦＰＣの他端側をスロットの開口部まで延びる高さを有するよう構成してもよい。また、ＦＰＣの台座部分に、ピンコンタクトを植設した電気コネクタを取り付けてもよく、この場合ピンコンタクトは、ＦＰＣを介して電子機器と電気的に接続されているとともに記録機器に接続される。
【００２１】
ここで、記録機器とは、ｃｌｉｋ！（登録商標）、３．５インチ（８８．９ｍｍ）のようなディスクカートリッジ、スマートメディア等の記録カードおよびｃｌｉｋ！（登録商標）を収容するｃｌｉｋ！（登録商標）ドライブ２００のようなディスクドライブ装置を含むＰＣカード等を総括していうものとする。
【００２２】
【発明の効果】
本発明の電子機器によれば、電子機器のスロット内に、記録機器の挿入によって記録機器に押された状態で配置される取出部材を有する。この取出部材は、本体の外部からアクセスすることが可能な露出部を有し、この露出部の操作によって、取出部材が記録機器を本体の外部に押し出すよう構成されているので、記録機器取り出し用の凹部を電子機器の外部に設ける必要がなく、電子機器および記録機器に塵埃が付着することによる悪影響を防止するとともに、簡単に記録機器を取り出すことができる。
【００２３】
また、取付部材が、スロット内で記録機器に押される台座と、台座に設けられたレバーとを有し、本体がレバーを露出させるとともに、レバーを記録機器の排出方向に移動させることが可能な開口を有するよう構成されている場合は、レバーを把持して簡単に記録機器を押し出して取り出すことができる。
【００２４】
【発明の実施の形態】
以下、本発明の電子機器の好ましい実施の形態について、添付図面を参照して詳細に説明する。
【００２５】
図１は、本発明の第１の実施形態の携帯用の電子機器１０即ち　デジタルカメラの斜視図である。図２は、記録機器を取り除いた図１の電子機器１０を異なる方向から見た斜視図である。以下、図１および図２を参照して説明する。図１に示す電子機器１０は、箱形の本体１２の上面１４に、前述のｃｌｉｋ！（登録商標）ドライブ（以下、単にＰＣカード（記録機器）という）２００を挿入するスロット１６を有する。このＰＣカード２００には前述の図１１に示すディスクカートリッジ１が挿入されている。このＰＣカード２００は、電子機器１０により撮像された画像データを記録するために使用される。スロット１６は、本体１２の上面１４から本体１２の下部に延在しているとともに、スロット１６の一端が隣接する、本体１２の側面２０から他端が隣接する側面２２間に延在している。
【００２６】
図１に示すように、主面２４と反対側の主面２６には矩形の平坦な凹所３４が形成されている。この凹所３４にディスプレイパネル３６が、ディスプレイ面（図示せず）を内側にして配置されている。このディスプレイパネル３６は、本体１２の支持部３８に連結されており、支持部３８の周りに回動させて本体１２から引き起こすことができるようになっている。この構造の詳細な説明は省略する。なお、４０で示すのは撮像レンズである。
【００２７】
図２に示すように、本発明の第１の実施形態の電子機器１０は、スロット１６に近接した主面２４の下部に、レバー２８およびこのレバー２８を収容する開口３０を有する。レバー２８と開口３０は略相補的形状をしており、レバー２８が開口３０内に収容されると、レバー２８の外面と主面２４は略面一となる。このレバー２８は、スロット１６に挿入されたＰＣカード２００を取り出すための、取出部材３２（図３、図４）の一部である。
【００２８】
この取出部材３２について、図３および図４を合わせて参照して説明する。図３は、取出部材３２の分解斜視図、図４は、取出部材３２近傍の電子機器１０の要部断面図を示す。なお、これらの図は、本発明の概念を示す模式的なものであり、各部分の寸法は正確には比例していない。取出部材３２は、ＰＣカード２００の挿入時に、ＰＣカード２００の先端２０２が当接して押し込まれる細長い台座４２と、この台座４２の後端から直角に台座４２と一体に立ち上がる後壁４４とを有する。
【００２９】
台座４２は、硬質材料から構成され、ＰＣカード２００の奥行き寸法Ｄ（図４）より僅かに大きい奥行き寸法を有しており、ＰＣカード２００の先端２０２を受けるようになっている。台座４２には、電子機器１０の本体１２に植設された多数のコンタクト（図示せず）を挿通する貫通孔６２が、マトリックス状に穿設されている。スロット１６の下部には、後壁４４が位置する側に、上下方向に延びるように凹所４６が形成されており、後壁４４は、この凹所４６内を水平に配置された台座４２とともに上下方向に摺動するように構成されている。
【００３０】
この台座４２には、レバー２８が回動可能に取り付けられる。台座４２の前縁５０には、矩形の切欠５２が形成されており、レバー２８はこの切欠５２に取り付けられる。切欠５２の両側には１対の軸受５４、５４が形成されている。他方、レバー２８の取付端５６の両側には回動軸５８が取り付けられており、回動軸５８が軸受５４に回動可能に連結されている。
【００３１】
通常の使用時においては、取出部材３２はＰＣカード２００の先端２０２によりスロット１６の下方に押されて配置されている。レバー２８は、通常、開口３０に折り畳まれて収納されているが、ＰＣカード２００をスロット１６から取り出すときは、矢印３３（図２、図４）で示すように引き出して、取出部材３２を矢印３５（図４）で示すように上方に持ち上げる。これにより、ＰＣカード２００を上方に押上げ、スロット１６の開口部から突出させることができる。この開口部から突出したＰＣカード２００の部分（後端部）を摘んで簡単に取り出すことができる。
【００３２】
レバー２８は、硬質材料、軟質材料のどちらでも使用可能である。なお、図２中３１で示すのは、爪を入れて、レバー２８を本体１２から引き起こしやすくするための開口３０と連通する凹みである。この凹み３１の代わりに、レバー２８の外面に突起を付けて取り出しやすくしてもよい。台座４２は、多数のピンコンタクトを貫通孔６２に受容するので、ピンコンタクトの短絡を防止するために、例えば、ＡＢＳ樹脂、ポリカーボネート樹脂等の絶縁材料から形成される。
【００３３】
次に、この取出部材３２の変形例について、図５を参照して説明する。図５は、取出部材の変形例を示す斜視図である。この取出部材７０は、矩形の細長い開口７１を有する台座７２と、後壁４４と同様な後壁７４と、レバー２８と同様なレバー７６とを有する。前述のピンコンタクトはこの開口７１内に配置される。
取出部材７０の取出操作は、取出部材３２と同じである。この取出部材７０の台座７２も硬質材料で構成される。上記の取出部材３２、７０の夫々の台座４２、７２は、対応する後壁４４、７４と一体に成型してもよいし、別部材で構成してもよい。
【００３４】
以上の実施形態では、レバー２８は電子機器１０の下部に位置しているが、次に、レバーが電子機器１０の上部に位置している場合について説明する。図６は、本発明の第２の実施形態の電子機器９０を示す斜視図、図７は図６の電子機器９０に使用される取出部材９２の斜視図である。以下、図６および図７を参照して説明する。なお、各部分の寸法は比例しておらず、理解の容易のために誇張して示してある。第２の実施形態の電子機器９０に使用される取出部材９２は、スロット９１内に配置される台座９４と、この台座９４に一体に形成された後壁９６および後壁９６に対向する前壁９８とを有する。
【００３５】
後壁９６は低く、前壁９８はスロット９１の深さと略同じ高さを有する。前壁９８の上端９９に離隔した１対の軸受１０１が形成されており、この軸受１０１に前述のレバー７６と同様なレバー１０２が取り付けられる。このレバー１０２は、電子機器９０の本体１０４のスロット９１に隣接した上部に形成された切欠即ち開口１０６と相補形であり、この開口１０６に収容されるように構成されている。そして、ＰＣカード２００を取り出したいときは、レバー１０２を矢印１０３（図６）で示すように引き起こしてそのまま持ち上げれる。それにより、ＰＣカード２００の先端２０２が台座９４により上方に押されて、ＰＣカード２００の上端部（後端部）がスロット９１の開口部から突出する。そしてこの突出した上端部を摘んで取り出せばよい。第２の実施形態の場合、前壁９８と後壁９６との両方によって、上下方向の摺動が案内されるので、取出部材９２の安定性がよい。
【００３６】
上述の実施形態では、取出部材が硬質の材料から構成される場合について述べたが、次に、取出部材がフィルム状の柔軟性を有する部材からなる場合について説明する。図８は、本発明の第３の実施形態を示し、図８（ａ）は第３の実施形態の電子機器１２０の斜視図、図８（ｂ）はこの電子機器１２０に使用されるフィルム状の取出部材の斜視図、図８（ｃ）は電子機器１２０のスロット内の取出部材の挙動を示す概略断面図である。以下、図８を参照して説明する。
【００３７】
図８（ｂ）に最もよく示すように、取出部材１２２は、例えばＰＥＴ（ポリエチレンテレフタレート）或いはポリオレフィン等の帯状の樹脂製フィルムからなり、取出部材１２２の一端１２４は、スロット１２６の高さ方向の途中に抜止のために固定される。そして、台座１２８の部分を経てスロット１２６の反対側に他端１３０が延び、この他端１３０にレバー１３２が取り付けられている。このレバー１３２は、例えばＡＢＳ樹脂等の比較的硬質な樹脂板で構成してもよい。
この取出部材１２２の台座１２８部分には、図５の取出部材７０と同様の細長い矩形の開口１３４が形成されている。
【００３８】
このレバー１３２は電子機器１２０の本体１３６の下部に形成されたレバー１３２と相補形の切欠即ち開口１３８内に通常は収納されており、使用時に取り出されるようになっている。そして図８（ｃ）で示すように、レバー１３２を取り出した後、そのまま矢印で示すように上方に持ち上げれば、先端部がフィルム状の取出部材１２２によって包まれたＰＣカード２００を、上方に引きずり上げて取り出すことができる。
【００３９】
次に図９を参照して本発明の第４の実施形態の電子機器について説明する。図９は、フィルム状の取出部材のレバーの位置が電子機器本体の上部に位置する場合を示し、図９（ａ）は、電子機器１５０の斜視図、図９（ｂ）は電子機器１５０の要部断面図である。この電子機器１５０に使用されているフィルム状の取出部材１５２は、レバー側端部の高さが高く、スロット１５４の開口部まで達しており、開口部近傍の切欠（開口）１５６にレバー１５８が折り返されて収納されている。使用に際しては、前述の各実施形態と同じく、このレバー１５８を取り出して上方に持ち上げてＰＣカード２００を取り出す。この第４の実施形態の取出部材１５２においては、台座１５３に第３の実施形態と同様の矩形の開口（図示せず）が形成されている。
【００４０】
次に、図１０を参照して、本発明の第５の実施形態について説明する。図１０は、第５の実施形態の電子機器（図示せず）に取り付けられる取出部材の斜視図である。この取出部材１７０は、フィルム状部材をフレキシブル印刷回路基盤（以下、単にＦＰＣという）１７２で形成したものである。このＦＰＣ１７２の材質は、ポリイミド樹脂が好適である。このＦＰＣ１７２には、電子機器内の電子部品（図示せず）と接続された多数の配線１８０が形成されており、台座１７４上の導電パッド（図示せず）にこれらの配線１８０が終端している。そして、このＦＰＣ１７２の台座１７４の導電パッドに、コンタクトピン１７８を植設したコネクタ１７６が表面実装されて固定されている。
【００４１】
コネクタ１７６のピンコンタクト１７８の各タイン（図示せず）がこれらの導電パッドにはんだ付けされて電気的に接続される。従って、レバー１８２を持ち上げると、このコネクタ１７６に接続された状態でＰＣカード２００が押し上げられる。そして、スロット内の図示しない停止手段、例えば、スロットの長手方向の両端部に配置された突部（図示せず）でコネクタ１７６の上昇を阻止して、ＰＣカード２００を取り出すことができる。この第５の実施形態は、前述の図８、図９に示したフィルム状の取出部材１２２、１５２に応用することができることは勿論である。
【００４２】
以上、本発明の種々の実施形態について説明したが、いずれの実施形態においても、従来見られたような、スロットに臨む凹部を必要としない。即ち、記録機器をスロットから取り出す際に、記録機器の後端部を摘む指を入れる凹部が、記録機器の本体に形成されていないので、前述のような問題を生じることがない。
【００４３】
なお、上記各レバーは、電子機器の本体から露出するので露出部ともいう。また、上記の実施形態は、ＰＣカード２００を用いた電子機器の場合について説明したが、これに限定されるものではなく、例えば、スマートメディア（登録商標）やコンパクトフラッシュ（登録商標）のような半導体記録手段（記録機器）を用いた場合にも適用できることはいうまでもない。
【図面の簡単な説明】
【図１】本発明の第１の実施形態の電子機器の斜視図
【図２】記録機器を取り除いた図１の電子機器を異なる方向から見た斜視図
【図３】図１の電子機器に使用される取出部材の分解斜視図
【図４】図３の取出部材近傍の電子機器の要部断面図
【図５】図３の取出部材の変形例を示す斜視図
【図６】本発明の第２の実施形態の電子機器を示す斜視図
【図７】図６の電子機器に使用される取出部材の斜視図
【図８】本発明の第３の実施形態を示し、（ａ）は第３の実施形態の電子機器の斜視図、（ｂ）はこの電子機器に使用されるフィルム状の取出部材の斜視図、（ｃ）は電子機器のスロット内の取出部材の挙動を示す概略断面図
【図９】本発明の第４の実施形態を示し、（ａ）はフィルム状の取出部材のレバーの位置が電子機器本体の上部に位置する電子機器の斜視図、（ｂ）は電子機器の要部断面図
【図１０】本発明の第５の実施形態の電子機器に取り付けられる取出部材の斜視図
【図１１】従来の磁気ディスクカートリッジの斜視図
【図１２】図１１の磁気ディスクカートリッジが挿入されるｃｌｉｋ！（登録商標）ドライブの斜視図
【符号の説明】
１　　ディスクカートリッジ（記録機器）
１０、９０、１２０、１５０　　電子機器
１２、１０４、１３６　　（電子機器の）本体
１６、９１、１２６、１５４　　　スロット
３０，７１、１０６、１３８、１５６　　開口
３２、７０、９２、１２２、１５２、１７０　　取出部材
４２、７２、９４、１２８、１５３、１７４　　台座
２８、７６、１０２、１３２、１５８、１８２　　レバー（露出部）
【図１】
2004145978.tif 000003
【図２】
2004145978.tif 000004
【図３】
2004145978.tif 000005
【図４】
2004145978.tif 000006
【図５】
2004145978.tif 000007
【図６】
2004145978.tif 000008
【図７】
2004145978.tif 000009
【図８】
2004145978.tif 000010
【図９】
2004145978.tif 000011
【図１０】
2004145978.tif 000012
【図１１】
2004145978.tif 000013
【図１２】
2004145978.tif 000014